(57)【要約】【課題】  直線移動が可能なカバーで処理対象物を保護する処理装置を提供する。【解決手段】  処理装置は、本体の第一開口にあたる第一端と、本体の第二開口にあたる第二端を有する収容空間を備える本体と、本体に直線移動可能に結合されるカバーと、少なくとも１つの処理対象物を載せる対象物給送装置とを含む。該対象物給送装置を第一開口から収容空間に挿入し、処理対象物を第二開口から本体の外に押し出しその一部を露出させるとき、カバーは直線移動して該露出部分を保護する。【選択図】      図１
2008126653.tif 000002
【特許請求の範囲】
【請求項１】
本体の第一開口にあたる第一端と、本体の第二開口にあたる第二端を有する収容空間を備える本体と、
本体に直線移動可能に結合されるカバーと、
少なくとも１つの処理対象物を載せる対象物給送装置とを含み、そのうち対象物給送装置を第一開口から収容空間に挿入し、処理対象物を第二開口から本体の外に押し出しその一部を露出させるとき、カバーは直線移動して該露出部分を保護することを特徴とする処理装置。
【請求項２】
前記カバーは対象物給送装置と連動して直線移動することを特徴とする請求項１記載の処理装置。
【請求項３】
前記対象物給送装置はカバーと接触する一端を備え、これを用いてカバーを直線移動させることを特徴とする請求項２記載の処理装置。
【請求項４】
前記カバーは収容空間の第二端に設けられ、前記対象物給送装置を第一開口から収容空間に挿入するとき、処理対象物が第二開口から本体の外に押し出されていない場合では、前記カバーは第二開口を覆うままで直線移動しないことを特徴とする請求項１記載の処理装置。
【請求項５】
前記対象物給送装置は第一方向に沿って第一開口から収容空間に挿入され、前記カバーには、カバーが第一方向に沿って一定距離直線移動した後、再び該第一方向と逆の第二方向に沿って直線移動することを防止する少なくとも１つのフックが設けられることを特徴とする請求項１記載の処理装置。
【請求項６】
前記フックは、カバーと一体成型で製作される可撓突起であることを特徴とする請求項５記載の処理装置。
【請求項７】
前記本体は少なくとも１つの受け溝を備え、前記カバーは、受け溝に着脱可能に結合される少なくとも１つの衝止部を備え、受け溝と衝止部は、カバーが第一方向に沿って一定距離直線移動した後、更に第一方向に沿って直線移動することを防止するためのものであることを特徴とする請求項５記載の処理装置。
【請求項８】
前記本体は少なくとも１つの受け溝を備え、前記カバーは、受け溝に着脱可能に結合される少なくとも１つの衝止部を備え、受け溝と衝止部は、カバーが第一方向に沿って一定距離直線移動した後、更に第一方向に沿って直線移動することを防止するためのものであることを特徴とする請求項１記載の処理装置。
【請求項９】
前記カバーは初期位置から露出部分を覆える位置まで直線移動し、前記処理装置は更に、カバー及び本体にそれぞれ結合される両端を有し、カバーが初期位置から離れた後、本来の位置に戻す弾力を提供する弾性部材を含むことを特徴とする請求項１記載の処理装置。
【請求項１０】
前記処理装置はプリンターであり、前記対象物給送装置は用紙トレイであることを特徴とする請求項１記載の処理装置。
【発明の詳細な説明】
【技術分野】
【０００１】
この発明は処理装置に関し、特に直線移動が可能なカバーで処理対象物を保護する処理装置（例えばプリンター）に関する。
【背景技術】
【０００２】
技術の発展に伴い、電子製品のコンパクト化が進んでいる。例えばプリンターの小型化が進んでいる中、用紙トレイがプリンター本体より大きい場合もしばしばある。プリンター本体から突き出ている用紙トレイは、印刷媒体（用紙）の保護や防塵機能に劣っているのみならず、梱包・運送も不便である。しかし、印刷用紙の寸法に合わせるようにプリンターを大きくつくることも、小型化に反することである。したがって、小型プリンターに大判の用紙を使用すると同時に、用紙の保護と防塵機能を向上させることは、設計上重要な課題である。
【発明の開示】
【発明が解決しようとする課題】
【０００３】
この発明は前述の問題を解決するため、直線移動が可能なカバーで処理対象物を保護する処理装置を提供することを課題とする。
【課題を解決するための手段】
【０００４】
この発明による処理装置は、本体の第一開口にあたる第一端と、本体の第二開口にあたる第二端を有する収容空間を備える本体と、本体に直線移動可能に結合されるカバーと、少なくとも１つの処理対象物を載せる対象物給送装置とを含む。該対象物給送装置を第一開口から収容空間に挿入し、処理対象物を第二開口から本体の外に押し出しその一部を露出させるとき、カバーは直線移動して該露出部分を保護する。
【発明の効果】
【０００５】
本発明によるカバーは、処理装置（例えばプリンター）の本体に対して直線移動（水平もしくは垂直）し、処理対象物の突出部分を保護して防塵・防水の機能を果たせる。本発明を利用すれば、小型プリンターでも難なく大判の用紙に印刷できる。
【発明を実施するための最良の形態】
【０００６】
かかる装置の特徴を詳述するために、具体的な実施例を挙げ、図を参照にして以下に説明する。
【実施例１】
【０００７】
図１を参照する。図１はこの発明の実施例１による処理装置１００の断面図である。実施例１はプリンターを処理装置１００の一例として説明するが、本発明はプリンターに限らず、外部に突き出ている処理対象物を保護する必要があるすべての電子装置に適する。図１に示すように、処理装置１００は本体１１０と、カバー１２０と、対象物給送装置１３０を含む。本体１１０は収容空間１１２と受け溝１１７を備え、収容空間１１２の第一端は本体１１０の第一開口１１４にあたり、第二端は本体１１０の第二開口１１６にあたる。対象物給送装置１３０は処理対象物を載置する装置である。実施例１では、対象物給送装置１３０は用紙トレイであり、そこに載せられる処理対象物は用紙である。カバー１２０は、本体１１０に直線移動自由に結合されている。すなわち、カバー１２０は図１に示す第一方向１１３または第二方向１１５に沿って移動できる。
【０００８】
図２を参照する。図２は図１に示すカバー１２０の立体図である。図２に示すように、カバー１２０は、少なくとも１つのフック１２２と少なくとも１つの衝止部１２４を含む。図１を再び参照する。衝止部１２４は、カバー１２０が第一方向１１３に沿って一定の距離を移動した後、受け溝１１７にドッキングしてカバー１２０の移動を止めることができる。前記実施例１によるカバー１２０は、収容空間１１２の第二端（すなわち第二開口１１６）に設けられている。注意すべきは、対象物給送装置１３０を第一開口１１４から収容空間１１２に挿入し、処理対象物がそれによって第二開口１１６から本体１１０の外に押し出されない場合、すなわち対象物給送装置１３０と処理対象物が処理装置１１０本体より短い場合では、カバー１２０は対象物給送装置１３０の挿入により移動することなく、図３に示すように初期位置を保ったまま第二開口１１６を覆っている。図３は、図１に示すカバー１２０が対象物給送装置１３０の挿入により押し出されていない状態を表す説明図である。
【０００９】
それに反し、処理対象物が処理装置１００本体より長いため、本体より長い対象物給送装置１３０を使用するか、もしくは長さの調整可能な対象物給送装置１３０を伸ばしてつかう場合では、対象物給送装置１３０を収容空間１１２に挿入すると、その先端は図４に示すようにカバー１２０と接触することとなる。図４は、図１に示すカバー１２０が対象物給送装置１３０の挿入により押し出されている状態を表す説明図である。図４に示すように、長い対象物を載せる給送装置１３０を第一方向に沿って、第一開口１１４から収容空間１１２に挿入すると、対象物給送装置１３０の先端１３２はカバー１２０に接触し、これを第一方向１１３に沿って押し出す。それを受けて、給送装置１３０に載せられる対象物は第二開口１１６から本体１１０の外に突き出され、一部露出することとなる。この場合、本発明によるカバー１２０は第一方向１１３に沿って直線移動し、処理対象物の露出部分を保護するとともに防塵・防水の機能を果たせる。それと同時に、衝止部１２４は受け溝１１７にドッキングし、カバー１２０の直線移動を止める。本実施例による衝止部１２４と受け溝１１７が結合すると、フック１２２は第一方向１１３と逆である第二方向１１５に沿ってカバー１２０が移動するのを防止するように本体１１０に突く。すなわち、カバー１２０上のフック１２２と衝止部１２４は、本体１１０から突き出ているカバー１２０及び対象物給送装置１３０がユーザーの誤操作によって移動しないように、カバー１２０を固定する効果がある。換言すれば、本発明によるカバー１２０は防塵・防水のほか、対象物給送装置１３０の誤操作による移動を防止する機能も兼ね備えている。カバー１２０を本体の中に収容しようとすれば、フック１２２を下に押し、更にカバー１２０を第二方向１１５に沿って中に押すだけで、衝止部１２４を受け溝１１７から外し、図３に示す本来の位置に戻すことができる。
【００１０】
注意すべきは、前記フック１２２の設置位置はカバー１２０の上部に限らず、その側面に設けることも可能である。また、カバー１２０と一体成型で可撓突起をつくり、これをフック１２２とすることも可能である。或いは、カバー１２０を初期位置に戻すための弾性部材を設け、その両端をカバー１２０と本体１１０にそれぞれ接するように設けることも可能である。この場合、カバー１２０を本体の中に収容しようとする場合、フック１２２を下に押せば、カバー１２０は弾力によって図３に示す本来の位置に戻る。図５を参照する。図５は図１に示すカバー１２０に弾性部材１２５を設けた状態を表す立体図である。弾性部材１２５（例えばバネ）は一端Ａがカバー１２０に固定され、その他の一端Ｂが本体１１０に固定されており、カバーを戻す弾力Ｆを提供する。
【実施例２】
【００１１】
図６を参照する。図６はこの発明の実施例２による処理装置２００の断面図である。実施例２による処理装置２００は、本体２１０と、カバー２２０と、対象物給送装置２３０を含む。本体２１０は収容空間２１２を備え、収容空間２１２の第一端は本体２１０の第一開口２１４にあたり、第二端は本体２１０の第二開口２１６にあたる。カバー２２０は、本体２１０に直線移動自由に結合されている。注意すべきは、カバー２２０は本体１１０の外に設けられている。図６に示すように、対象物給送装置２３０を第一方向２１３に沿って第一開口２１４から収容空間２１２に挿入し、処理対象物を第二開口２１６から本体２１０の外に押し出しその一部を露出させる場合、カバー２２０は対象物給送装置２３０と連動して第二方向２１５に沿って直線移動し（連動は、電子検知装置、ギアセット、接続線など従来の伝動装置によって行われる）、対象物の突出部分を保護して防塵・防水の機能を果たせる。
【００１２】
以上はこの発明に好ましい実施例であって、この発明の実施の範囲を限定するものではない。よって、当業者のなし得る修正、もしくは変更であって、この発明の精神の下においてなされ、この発明に対して均等の効果を有するものは、いずれもこの発明の特許請求の範囲に属するものとする。
【産業上の利用可能性】
【００１３】
本発明は従来のプリンターカバーを、印刷用紙を保護できるように工夫したものである。かかる技術は当然実施可能である。
【図面の簡単な説明】
【００１４】
【図１】この発明の実施例１による処理装置の断面図である。
【図２】図１に示すカバーの立体図である。
【図３】図１に示すカバーが対象物給送装置の挿入により押し出されていない状態を表す説明図である。
【図４】図１に示すカバーが対象物給送装置の挿入により押し出されている状態を表す説明図である。
【図５】図１に示すカバーに弾性部材を設けた状態を表す立体図である。
【図６】この発明の実施例２による処理装置の断面図である。
【符号の説明】
【００１５】
１００、２００  処理装置
１１０、２１０  本体
１１２、２１２  収容空間
１１３、２１３  第一方向
１１４、２１４  第一開口
１１５、２１５  第二方向
１１６、２１６  第二開口
１１７  受け溝
１２０、２２０  カバー
１２２  フック
１２４  衝止部
１２５  弾性部材
１３０、２３０  対象物給送装置
１３２  先端
【図１】
2008126653.tif 000003
【図２】
2008126653.tif 000004
【図３】
2008126653.tif 000005
【図４】
2008126653.tif 000006
【図５】
2008126653.tif 000007
【図６】
2008126653.tif 000008